(57)【要約】      （修正有）【課題】  従来の器具は家具の上面と天井の間に介在させて介在を固定する家具類の転倒防止をしているが地震時に激しく揺れれば天井の材料は弱く破損する、又家具の上面中央部の材料が薄いため家具の破損もある。【解決手段】  密閉した筒体（１７）内に筒体（１７）内側に当接している隔壁（８）を設けこの隔壁（８）には中心から軸（１０）が垂下しており軸（１０）は筒体（１７）の底板（１２）を貫いて筒体（１７）の外にでて下部の土台座金（１３）に上記に平行に設けられた土台座金（１３）に接続されている。上記の隔壁（８）の上面には弾力性シート（５）とばね（２）をはめこみ、この隔壁（８）は円盤製金属板と同じシート（７）と底板（１２）に接続され、この筒体（１７）内には容積に対し８５％〜９５％のオイルを給入したことを特長とする家具類転倒防止装置。【選択図】  図５
2007021146.tif 000002
【特許請求の範囲】
【請求項１】
密閉した筒体（１７）内に筒体（１７）内側に当接している隔壁（８）を設けこの隔壁（８）には中心から軸（１０）が垂下しており軸（１０）は筒体（１７）の底板（１２）を貫いて筒体（１７）の外にでて下部の土台座金（１３）に上記に平行に設けられた土台座金（１３）に接続されており上記の隔壁（８）には複数の油通り孔（６）が設けられて隔壁（８）の上面には弾力性シート（５）が隔壁（８）より直径が短い、隔壁（８）の中心部はこの弾力性シート（５）と筒体（１７）の天井の間に、ばね（２）をはめこみこの隔壁（８）は円盤製金属板とおなじシート（７）と、なりたっている底板（１２）となりたっている底板（１２）の上部には油止めシート（８）が軸（１０）を取り巻いて接続されこの筒体（１７）内には容積に対し８５％〜９５％のオイルを給入した特長とする家具類転倒防止装置
【請求項２】
土台座金（１３）と軸（１０）の取り付けは土台座金（１３）にリブ（２０）を２個設け軸（１０）が前後に動くようにした、器具が作動した時土台座金（１３）と軸（１０）が動くことにより軸（１０）の横からの負荷を防ぐ事のできる請求項１に記載の家具類転倒防止装置
【請求項３】
筒体（１７）内の上部に油面（２０）は筒体（１７）内の５％〜１５％の空間があることにより隔壁の稼働性も良く軸（１０）にかかる瞬間圧力もソフトになる請求項１又は２に記載の家具類転倒防止装置
【発明の詳細な説明】
【技術分野】
【０００１】  本発明は、地震の激しい縦揺れや横揺れの振動に襲われた時に、タンス、食器棚、本棚ロッカー又は冷蔵庫類等、家具類の転倒を防止するための器具であり器具は家具類の前面底部内側に本発明器具を固定する、家具類が振動で揺れた時油圧を利用して家具類を後方に傾ける事のできる家具類等の転倒防止装置
【背景技術】
【０００２】  従来家具の上面と天井面との間に介在させて介在を固定する家具類の転倒防止装置としては、例えば、特許出願公開、特開平８−２３８１３７号公報に開示された家具類固定装置が従来例として知られている。
【発明の開示】
【発明が解決しようとする課題】
【０００３】  従来の器具は家具の上面と天井の間に介在させて介在を固定する家具類の転倒防止をしているが天井の材料は弱く破損する、また家具の上面中央部の材料が薄いため家具上面部の破損もある。【０００４】  本発明は、このような従来の構成が有していた問題を解決しようとするものであり、天井や家具類等を破損することも無く本発明器具を家具類の前面底部中側に取り付ける事により家具類等の転倒防止を実現することを目的とするものである。
【課題を解決するための手段】
【発明の効果】
【０００５】  本発明は上記目的を達成するためのもので筒体の上端は密閉で下端の内側をねじめとするね、じを設ける、ばねは漏斗型で螺旋状のばね使用、座金は円形のつば付きとしばねの下側に圧入する油弁は円形の弾力性材料を使用し小さな油戻り孔を複数あける隔壁の油通り孔を油弁の戻り孔と同じ位置に筒体の直径の４０％になるように隔壁の全体で直径４０％の油通り孔を均等に複数あけ、活栓も隔壁と同じ位置に油通り孔をあけ、活栓、隔壁、油弁、の中心に軸の取り付け孔をあける軸は隔壁、活栓、油弁、を固定するために段差をつけ上部中心にねじ孔を設け下部は土台座金の取り付け孔をあける油弁、活栓、隔壁、順に軸に組みつけ座金とねじで固定し筒体の下側より挿入し油を筒体の８５％〜９５％まで給入する底板は油漏れを防ぐ稼動性のよい油止めを固定し底板の中心に軸の孔をあけ筒体にねじ込み密閉する土台座金と軸の取り付けは、リブを２個設け軸が動くようにねじで取り付ける、器具が作動したとき土台座金と軸が動くことにより軸の横からの負荷を防ぐことができる筒体内に油面の５％〜１５％の空間があることにより稼動性も良く軸にかかる瞬間圧力もソフトになる。【０００６】  また、第２の課題解決手段は、揺れがなくなり静止すれば家具類の傾きも数１０秒で元に戻り第２第３の揺れがあっても繰り返し作動し家具類の転倒防止を行い天井や家具類を破損する事のない家具類転倒防止装置を配置する構成としたものである。【０００７】  上記第１の課題解決手段による作用は次の通りである、すなわち、上記の取り付け具と器具を家具類の前面底部中側に取り付ける、ばね（２）の押圧と油圧を利用した器具で家具類等が地震の縦揺れや横揺れあっても倒れないように防止することができる家具類転倒防止装置【０００８】  また、第２の課題解決手段による作用は、家具類の前面底部中側に取り付け具を固定しその取り付け具に本器具を取り付ける地震の縦揺れや横揺れで家具類の前面底部が浮くと、ばね（２）が軸（１０）を常に押圧しているので軸（１０）が押し出させるその時筒体（１７）内では油弁（５）が開き油が油通り孔（６）を通り筒体（１７）下部より上部にあがり軸（１０）がさり土台座金（１３）が床面に着くと油弁（５）が閉まり筒体（１７）内上部に油圧がかかり軸（１０）に負荷がかかり家具類の底部前面が浮いた部分を支えるので家具類を後に傾け転倒防止効果を発揮する。
【発明の効果】
【０００９】  上述したように本発明の家具類転倒防止器具は地震で家具類が激しく揺れた時家具類を油圧の利用で後ろに傾ける、傾むいた家具類が静止すれば家具類の重力により数１０秒で傾きが元に戻り家具類転倒防止をする器具を提供できる。【００１０】  また、地震の第２第３の揺れが発生しても繰り返し作動する器具を提供できる。【００１１】  また、軸（１０）の下に土台座金（１３）を付ける軸（１０）と土台座金（１３）の取り付部に対し、家具類の前面方向前後に軸（１０）が動く様に取り付ける、軸（１０）に負荷が掛かった時、軸（１０）と土台座金（１３）の取り付け部が動く事により、畳やカーペットを痛めないと同時に軸（１０）に横からの負荷を防ぐという効果を発揮するものである。
【発明を実施するための最良の形態】
【実施例】
【００１２】  前記従来例の課題を解決する具体的手段として本発明は密閉した筒体（１７）内に筒体（１７）内側に当接している隔壁（８）を設けこの隔壁（８）には中心から軸（１０）が垂下しておりこの軸（１０）は筒体（１７）の底板（１２）を貫いて筒体（１７）の外に出て下部の土台座金（１３）に上記に平行に設けられた土台座金（１３）接続されてをり上記の隔壁（８）には複数の油通り孔（６）が設けられて隔壁（８）の上面には弾性体シート（５）が隔壁（８）より直径が短い、隔壁（８）の中心部には弾性シート（５）と筒体（１７）の天井間に、ばね（２）をはめこみこの隔壁（８）は円盤製金属板と同じシート（７）でなりたっている底板（１２）の上部には油止めシート（８）が軸（１０）を取り巻いて接続されこの筒体（１７）内には容積に対し８５％〜９５％のオイルを給入した特長とする家具類転倒防止装置【００１３】  土台座金（１３）と軸（１０）の取り付けは土台座金（１３）にリブ（２０）を２個設け軸（１０）が前後に動くようにした、器具が作動したとき土台座金（１３）と軸（１０）が動くことにより軸（１０）の横からの負荷を防ぐことができる、筒体（１７）内の上部に油面（２０）は筒体（１７）内に５％〜１５％の空間を作ることにより隔壁（８）の稼働性も良く軸（１０）にかかる瞬間圧力もソフトになる家具類転倒防止装置【００１４】  以下、本発明の実施の形態を図１〜図８に基ずいて説明する【００１５】  図においては、図１は家具類転倒防止器具（１）を示しこの家具類の転倒防止器具（１）は家具類の前面底部に複数取り付ける事により地震で激しい揺れで家具類の底部が浮けば、ばね（２）の押圧により油弁（５）が開き油が筒体（１７）の上部あがり軸（１０）が、さがり土台座金（１３）が床に着くと油弁（５）が閉まり油圧により家具類の浮いた分を支え家具類を後ろに傾け家具類の転倒防止をする【００１６】  地震の揺れがなくなり傾いた家具類も静止すれば家具類の重力により油戻り孔（４）から少しづつ油が筒体（１７）の下部にさがると筒体（１７）上部の油圧もさがり数１０秒で家具類の傾きも元に戻り再度地震で家具類が揺れれば繰り返し作用を継続する事ができる【００１７】  図２は、軸（１０）と土台座金（１３）の断面図で軸（１０）と土台座金（１３）の取り付け部を軸（１０）が前後に動くようにした、これを縦方向とし図３は図２の横方向の図であり点線の様に動く事により軸（１０）が作動し軸（１０）に負荷が、かかったとき横からの負荷を防ぐので器具の取り付け時は家具類の前面に対し図２の様に軸（１０）が前後に動く様に固定する【００１８】  図３は、図２の横方向の図で、軸（１０）が点線の様に動く断面図【００１９】  図４は、家具類等の転倒防止器具の平面図【００２０】  図５は、家具類の転倒防止器具（１）の断面図で、ばね（２）は常に軸（１０）を押圧し、床と土台座金（１３）に隙間ができると軸（１０）が下さがり同時に油弁（５）が開き油が油通り孔（６）を通り筒体（１７）の上部にあがり土台座金（１３）と軸（１０）に負荷が、かかれば油弁（５）が閉まり筒体（１７）の上部に油圧が、かかり家具類を後ろに傾ける事のできる家具類転倒防止器具であり筒体（１７）の波形線は油上面（２２）を示し油は筒体の９０％まで給入する５％〜１５％の空間を作ることにより器具が作動するとき油の移動も速く軸（１０）も瞬時に動き作動することができる。【００２１】  図６は、家具類の転倒防止器具（１）分解図でばね（２）の下側が前後左右に動かない様に座金（３）に段差をつけばね（２）の下側に圧入する軸（１０）の上に隔壁（８）活栓（７）と、油弁（５）を組み合わせ座金（３）で押さえ、ねじ（９）で締め付けし筒体（１７）の下側より挿入した後、油を筒体（１７）の８５％〜９５％まで給入し、油止めゴム（１１）を底板（１２）の上側に貼り付け底板（１２）を筒体（１７）にねじ込み密着し土台座金（１３）を軸（１０）に取り付ける。【００２２】  図６の活栓（７）は弾力性及び耐油性の材料を使用し油通り孔（６）を複数あける油通り孔（６）の大きさは器具の内側直径の４０％とになるように隔壁（８）に直径４０％の孔をあけ活栓（７）も同じ位置に油通り孔（６）をあける油弁（５）は弾力性及び柔軟性の材料を使用し活栓（７）の油通り孔（６）と同じ位置に複数の小さな油戻り孔（４）をあける【００２３】  図７は、器具の作動中の断面図で小さな矢印は油の移動を示す【００２４】  図８は、器具に負荷が、かかり作用した断面図【００２５】  材料  筒体      鉄製
ばね      鋼鉄
座金      鉄製
油弁      柔軟性及び対油性ゴム
活栓      対油性ゴム（カップ）
隔壁      鉄製      （ピストン）
ねじ      ステンレス
軸        鋼鉄      （シャフト）
油止め    対油性コム（オイルシール）
底板      鉄製
土台座金  鉄製
ねじ      鉄製
ナット    鉄製【００２６】  寸法    筒体  外径６６０ミリ  内径６００ミリ  高さ７５０ミリ  全長９００ミリ
上記の器具の寸法は１個に対し１０００ｋｇの重力に耐えるが家具類の大きさや        重力により器具の寸法は異なる
【図面の簡単な説明】
【００２７】
【図１】本発明の実施形態を示す家具類転倒防止器具の正面図
【図２】同転倒防止器具の軸と土台座金の取り付け部の部分断面図
【図３】同転倒防止器具の軸と土台座金の取り付け部の横断面図
【図４】同転倒防止器具の平面図
【図５】同転倒防止器具の図４におけるＡ−Ａ線断面図
【図６】同転倒防止器具の分解部品図
【図７】同転倒防止器具の作動中の断面図
【図８】同転倒防止器具の負荷がかかりロックされた断面図
【符号の説明】
１      家具類の転倒防止器具
２      ばね
３      座金
４      油戻り孔
５      油弁
６      油通り孔
７      活栓
８      隔壁
９      ねじ
１０    軸
１１    油止め
１２    底板
１３    土台座金
１４    ねじ
１５    ナット
１６    ねじ孔
１７    筒体
１８    取り付け孔
１９    ねじ孔
２０    土台座金取り付け孔
２１    軸孔
２２    油上面
【図１】
2007021146.tif 000003
【図２】
2007021146.tif 000004
【図３】
2007021146.tif 000005
【図４】
2007021146.tif 000006
【図５】
2007021146.tif 000007
【図６】
2007021146.tif 000008
【図７】
2007021146.tif 000009
【図８】
2007021146.tif 000010
【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
縦設した密閉筒体１７内の筒体１７内側に当接している円形の隔壁８を設け、この隔壁８には中心から軸１０が垂下して、おり、軸１０は筒体１７の底板１２を貫いて筒体１７の外にでており、この軸１０の下端は上記底板１２の下方で、かつ底板１２に平行に設けられた土台座金１３に接続されており上記の隔壁８には複数の油通り孔６が設けられて隔壁８の上面には弾力性シート５が隔壁８より直径が短い、隔壁８の中心部は弾力性シート５と筒体１７の天井の間に、ばね２をはめこみ、この隔壁８は円盤製金属板で隔壁８と活栓７と底板１２で、なりたっている底板１２の上部には油止めシート１１が軸１０を取り巻いて接続され、この筒体１７内には容積に対し８５％〜９５％のオイルを給入した事を特長とする家具類等転倒防止装置
【請求項２】
土台座金１３と軸１０の取り付けは土台座金１３にリブ２０を２個設け軸１０が前後に動くようにした、器具が作動した時土台座金１３と軸１０が動くことにより軸１０の横からの負荷を防ぐ事のできる請求項１に記載の家具類等転倒防止装置
【請求項３】
筒体１７内の上部に油面２０は筒体１７内の５％〜１５％の空間があることにより隔壁の稼働性も良く軸１０にかかる瞬間圧力もソフトになる請求項１又は２に記載の家具類等転倒防止装置
【手続補正２】
【補正対象書類名】明細書
【補正対象項目名】全文
【補正方法】変更
【補正の内容】
【発明の詳細な説明】
【技術分野】
【０００１】  本発明は、地震の激しい縦揺れや横揺れの振動に襲われた時に、タンス、食器棚、本棚ロッカー又は冷蔵庫類等、家具類等の転倒を防止するための器具であり器具は家具類等の前面底部内側に本発明器具を固定する、家具類が振動で揺れた時油圧を利用して家具類等を後方に傾ける事のできる家具類等の転倒防止装置
【背景技術】
【０００２】  従来家具の上面と天井面との間に介在させて介在を固定する家具類の転倒防止装置としては、例えば、特許出願公開、特開平８−２３８１３７号公報に開示された家具類固定装置が従来例として知られている。
【発明の開示】
【発明が解決しようとする課題】
【０００３】  従来の器具は家具の上面と天井の間に介在させて介在を固定する家具類の転倒防止をしているが天井の材料は弱く破損する、また家具の上面中央部の材料が薄いため家具上面部の破損もある。【０００４】  本発明は、このような従来の構成が有していた問題を解決しようとするものであり、天井や家具類等を破損することも無く本発明器具を家具類等の前面底部中側に取り付ける事により家具類等の転倒防止を実現することを目的とするものである。
【課題を解決するための手段】
【発明の効果】
【０００５】  本発明は上記目的を達成するためのもので筒体の上端は密閉で下端の内側をねじめとするねじを設ける、ばねは漏斗型で螺旋状のばね使用、座金は円形のつば付きとしばねの下側に圧入する油弁は円形の弾力性材料を使用し小さな油戻り孔を複数あける隔壁の油通り孔を油弁の戻り孔と同じ位置に筒体の直径の４０％になるように隔壁の全体で直径４０％の油通り孔を均等に複数あけ、活栓も隔壁と同じ位置に油通り孔をあけ、活栓、隔壁、油弁、の中心に軸の取り付け孔をあける軸は隔壁、活栓、油弁、を固定するために段差をつけ上部中心にねじ孔を設け下部は土台座金の取り付け孔をあける油弁、活栓、隔壁、順に軸に組みつけ座金とねじで固定し筒体の下側より挿入し油を筒体の８５％〜９５％まで給入する底板は油漏れを防ぐ稼動性のよい油止めを固定し底板の中心に軸の孔をあけ筒体にねじ込み密閉する、土台座金と軸の取り付けは、リブを２個設け軸が動くようにねじで取り付ける、器具が作動したとき土台座金と軸が動くことにより軸の横からの負荷を防ぐことができる筒体内に油面の５％〜５％の空間があることにより稼動性も良く軸にかかる瞬間圧力もソフトになる。【０００６】  また、第２の課題解決手段は、揺れがなくなり静止すれば家具類の傾きも数１０秒で元に戻り第２第３の揺れがあっても繰り返し作動し家具類等の転倒防止を行い天井や家具類等を破損する事のない家具類等転倒防止装置を配置する構成としたものである。【０００７】  上記第１の課題解決手段による作用は次の通りである、すなわち、上記の取り付け具と器具を家具類等の前面底部中側に取り付ける、ばね２の押圧と油圧を利用した器具で家具類等が地震の縦揺れや横揺れあっても倒れないように防止することができる家具類等転倒防止装置【０００８】  また、第２の課題解決手段による作用は、家具類等の前面底部中側に取り付け具を固定しその取り付け具に本器具を取り付ける地震の縦揺れや横揺れで家具類等の前面底部が浮くと、ばね２が軸１０を常に押圧しているので軸１０が押し出させるその時筒体１７内では油弁５が開き油が油通り孔６を通り筒体１７下部より上部にあがり軸１０がさり土台座金１３が床面に着くと油弁５が閉まり筒体１７内上部に油圧がかかり軸１０に負荷がかかり家具類等の底部前面が浮いた部分を支えるので家具類等を後に傾け転倒防止効果を発揮する。
【発明の効果】
【０００９】  上述したように本発明の家具類等転倒防止器具は地震で家具類等が激しく揺れた時家具類等を油圧の利用で後ろに傾ける、傾むいた家具類等が静止すれば家具類等の重力により数１０秒で傾きが元に戻り家具類等転倒防止をする器具を提供できる。【００１０】  また、地震の第２第３の揺れが発生しても繰り返し作動する器具を提供できる。【００１１】  また、軸１０の下に土台座金１３を付ける軸１０と土台座金１３の取り付部に対し、家具類等の前面方向前後に軸１０が動く様に取り付ける、軸１０に負荷が掛かった時、軸１０と土台座金１３の取り付け部が動く事により、畳やカーペットを痛めないと同時に軸１０に横からの負荷を防ぐという効果を発揮するものである。
【発明を実施するための最良の形態】
【実施例】
【００１２】  前記従来例の課題を解決する具体的手段として本発明は縦設した密閉筒体１７内の筒体１７内側に当接している円形の隔壁８を設け、この隔壁８には中心から軸１０が垂下して、おり、軸１０は筒体１７の底板１２を貫いて筒体１７の外にでておりこの、軸１０の下端は上記底板１２の下方で、かつ底板１２に平行に設けられた土台座金１３に接続されており上記の隔壁８には複数の油通り孔６が設けられて隔壁８の上面には弾力性シート５が隔壁８より直径が短い、隔壁８の中心部は弾力性シート５と筒体１７の天井の間に、ばね２をはめこみ、この隔壁８は円盤製金属板で隔壁８と活栓７と底板１２で、なりたっている底板１２の上部には油止めシート１１が軸１０を取り巻いて接続されこの筒体１７内には容積に対し８５％〜９５％のオイルを給入した事を特長とする家具類等転倒防止装置【００１３】  土台座金１３と軸１０の取り付けは土台座金１３にリブ２０を２個設け軸１０が前後に動くようにした、器具が作動したとき土台座金１３と軸１０が動くことにより軸１０の横からの負荷を防ぐことができる、筒体１７内の上部に油面２２は筒体１７内に５％〜１５％の空間を作ることにより隔壁８の稼働性も良く軸１０にかかる瞬間圧力もソフトになる家具類等転倒防止装置【００１４】  以下、本発明の実施の形態を図１〜図８に基ずいて説明する【００１５】  図においては、図１は家具類等転倒防止器具１を示しこの家具類等の転倒防止器具１は家具類等の前面底部に複数取り付ける事により地震で激しい揺れで家具類等の底部が浮けばばね２の押圧により油弁５が開き油が筒体１７の上部あがり軸１０が、さがり土台座金１３が床に着くと油弁５が閉まり油圧により家具類等の浮いた分を支え家具類等を後ろに傾け家具類等の転倒防止をする。【００１６】  地震の揺れがなくなり傾いた家具類等も静止すれば家具類等の重力により油戻り孔４から少しづつ油が筒体１７の下部にさがると筒体１７上部の油圧もさがり数１０秒で家具等類等の傾きも元に戻り再度地震で家具類等が揺れれば繰り返し作用を継続する事ができる【００１７】  図２は、軸１０と土台座金１３の断面図で軸１０と土台座金１３の取り付け部を軸１０が前後に動くようにした、これを縦方向とし図３は図２の横方向の図であり点線の様に動く事により軸１０が作動し軸１０に負荷が、かかったとき横からの負荷を防ぐので器具の取り付け時は家具類等の前面に対し図２の様に軸１０が前後に動く様に固定する。【００１８】  図３は、図２の横方向の図で、軸１０が点線の様に動く断面図【００１９】  図４は、家具類等の転倒防止器具の平面図【００２０】  図５は、家具類等の転倒防止器具１の断面図で、ばね２は常に軸１０を押圧し、床と土台座金１３に隙間ができると軸１０が下さがり同時に油弁５が開き油が油通り孔６を通り筒体１７の上部にあがり土台座金１３と軸１０に負荷が、かかれば油弁５が閉まり筒体１７の部に油圧が、かかり家具類等を後ろに傾ける事のできる家具類等転倒防止器具であり筒体１７の波形線は油上面２２を示し油は筒体の８５％〜９５％まで給入すると５％〜１５％の空間ができる、ことにより器具が作動するとき油の移動も速く軸１０も瞬時に動き作動するこができる。【００２１】  図６は、家具類等の転倒防止器具１分解図でばね２の下側が左右に動かない様に座金３に段差をつけ、ばね２の下側に座金３を圧入する軸１０の上に隔壁８活栓７と、油弁５を組み合わせ座金３で押さえ、ねじ９で締め付け固定し筒体１７の下側より挿入した後、油を筒体１７の８５％〜９５％まで給入し、油止めゴム１１を底板１２の上側に固定し底板１２を筒体１７にねじ込み密着し土台座金１３を軸１０の下端に取り付ける。【００２２】  図６の活栓７は弾力性及び耐油性の材料を使用し油通り孔６を複数あける油通り孔６の大きさは器具の内側直径の４０％とになるように隔壁８に複数の油通り孔６をあけ活栓７も同じ位置に同じ大きさの油通り孔６をあける油弁５は弾力性及び柔軟性の材料を使用し活栓７の油通り孔６と同じ位置に複数の小さな油戻り孔４をあける。【００２３】  図７は、器具の作動中の断面図で小さな矢印は油の移動を示す【００２４】  図８は、器具に負荷が、かかり作用した断面図【００２５】  材料  筒体      鉄製
ばね      鋼鉄
座金      鉄製
油弁      柔軟性及び耐油性ゴム
活栓      耐油性ゴム      （カップ）
隔壁      鉄製            （ピストン）
ねじ      ステンレス
軸        鋼鉄            （シャフト）
油止め    耐油性コム      （オイルシール）
底板      鉄製
土台座金  鉄製
ねじ      鉄製
ナット    鉄製【００２６】  寸法・  筒体  外径６６０ミリ  内径６００ミリ  高さ７５０ミリ  全長９００ミリ
上記の器具の寸法は１個に対し１０００ｋｇの重力に耐えるが家具類等の大きさや重力により器具の寸法は異なる【００２７】
【図面の簡単な説明】
【図１】  本発明の実施形態を示す家具類等転倒防止器具の正面図
【図２】  同転倒防止器具の軸と土台座金の取り付け部の部分断面図
【図３】  同転倒防止器具の軸と土台座金の取り付け部の横断面図
【図４】  同転倒防止器具の平面図
【図５】  同転倒防止器具の図４におけるＡ−Ａ線断面図
【図６】  同転倒防止器具の分解部品図
【符号の説明】
１    家具類等の転倒防止器具
２    ばね
３    座金
４    油戻り孔
５    油弁
６    油通り孔
７    活栓
８    隔壁
９    ねじ
１０  軸
１１  油止め
１２  底板
１３  土台座金
１４  ねじ
１５  ナット
１６  ねじ通り孔
１７  筒体
１８  取り付け孔
１９  ねじ孔
２０リブ
２１  軸孔
２２  油上面
２３  土台座金取り付け孔
【手続補正３】
【補正対象書類名】図面
【補正対象項目名】図５
【補正方法】変更
【補正の内容】
【図５】
2007021146.tif 000011
【手続補正４】
【補正対象書類名】図面
【補正対象項目名】図６
【補正方法】変更
【補正の内容】
【図６】
2007021146.tif 000012
【手続補正書】
【提出日】平成17年11月21日(2005.11.21)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】  本発明は、地震の激しい縦揺れや横揺れの振動に襲われた時に、タンス、食器棚、本棚ロッカー又は冷蔵庫類等、家具類等の転倒を防止するための器具であり器具は家具類等の前面底部内側に本発明器具を固定する、家具類が振動で揺れた時油圧を利用して家具類等を後方に傾ける事のできる家具類等の転倒防止装置
【背景技術】
【０００２】  従来家具の上面と天井面との間に介在させて介在を固定する家具類の転倒防止装置としては、例えば、特許出願公開、特開平８?２３８１３７号公報に開示された家具類固定装が従来例として知られている。
【発明の開示】
【発明が解決しようとする課題】
【０００３】  従来の器具は家具の上面と天井の間に介在させて介在を固定する家具類の転倒防止をしているが天井の材料は弱く破損する、また家具の上面中央部の材料が薄いため家具上面部の破損もある。【０００４】  本発明は、このような従来の構成が有していた問題を解決しようとするものであり、天井や家具類等を破損することも無く本発明器具を家具類等の前面底部中側に取り付ける事により家具類等の転倒防止を実現することを目的とするものである。
【課題を解決するための手段】
【発明の効果】
【０００５】  本発明は上記目的を達成するためのもので筒体の上端は密閉で下端の内側をねじめとするねじを設ける、ばねは漏斗型で螺旋状のばね使用、座金は円形のつば付きとしばねの下側に圧入する油弁は円形の弾力性材料を使用し小さな油戻り孔を複数あける隔壁の油通り孔を油弁の戻り孔と同じ位置に筒体の直径の４０％になるように隔壁の全体で直径４０％の油通り孔を均等に複数あけ、活栓も隔壁と同じ位置に油通り孔をあけ、活栓、隔壁、油弁、の中心に軸の取り付け孔をあける軸は隔壁、活栓、油弁、を固定するために段差をつけ上部中心にねじ孔を設け下部は土台座金の取り付け孔をあける油弁、活栓、隔壁、順に軸に組みつけ座金とねじで固定し筒体の下側より挿入し油を筒体の８５％〜９５％まで給入する底板は油漏れを防ぐ稼動性のよい油止めを固定し底板の中心に軸の孔をあけ筒体にねじ込み密閉する、土台座金と軸の取り付けは、リブを２個設け軸が動くようにねじで取り付ける、器具が作動したとき土台座金と軸が動くことにより軸の横からの負荷を防ぐことができる筒体内に油面の５％〜５％の空間があることにより稼動性も良く軸にかかる瞬間圧力もソフトになる。【０００６】  また、第２の課題解決手段は、揺れがなくなり静止すれば家具類の傾きも数１０秒で元に戻り第２第３の揺れがあっても繰り返し作動し家具類等の転倒防止を行い天井や家具類等を破損する事のない家具類等転倒防止装置を配置する構成としたものである。【０００７】  上記第１の課題解決手段による作用は次の通りである、すなわち、上記の取り付け具と器具を家具類等の前面底部中側に取り付ける、ばね２の押圧と油圧を利用した器具で家具類等が地震の縦揺れや横揺れあっても倒れないように防止することができる家具類等転倒防止装置【０００８】  また、第２の課題解決手段による作用は、家具類等の前面底部中側に取り付け具を固定しその取り付け具に本器具を取り付ける地震の縦揺れや横揺れで家具類等の前面底部が浮くと、ばね２が軸１０を常に押圧しているので軸１０が押し出させるその時筒体１７内では油弁５が開き油が油通り孔６を通り筒体１７下部より上部にあがり軸１０がさり土台座金１３が床面に着くと油弁５が閉まり筒体１７内上部に油圧がかかり軸１０に負荷がかかり家具類等の底部前面が浮いた部分を支えるので家具類等を後に傾け転倒防止効果を発揮する。
【発明の効果】
【０００９】  上述したように本発明の家具類等転倒防止器具は地震で家具類等が激しく揺れた時家具類等を油圧の利用で後ろに傾ける、傾むいた家具類等が静止すれば家具類等の重力により数１０秒で傾きが元に戻り家具類等転倒防止をする器具を提供できる。【００１０】  また、地震の第２第３の揺れが発生しても繰り返し作動する器具を提供できる。【００１１】  また、軸１０の下に土台座金１３を付ける軸１０と土台座金１３の取り付部に対し、家具類等の前面方向前後に軸１０が動く様に取り付ける、軸１０に負荷が掛かった時、軸１０と土台座金１３の取り付け部が動く事により、畳やカーペットを痛めないと同時に軸１０に横からの負荷を防ぐという効果を発揮するものである。
【発明を実施するための最良の形態】
【実施例】
【００１２】  前記従来例の課題を解決する具体的手段として本発明は縦設した密閉筒体１７内の筒体１７内側に当接している円形の隔壁８を設け、この隔壁８には中心から軸１０が垂下して、おり、軸１０は筒体１７の底板１２を貫いて筒体１７の外にでておりこの、軸１０の下端は上記底板１２の下方で、かつ底板１２に平行に設けられた土台座金１３に接続されており上記の隔壁８には複数の油通り孔６が設けられて隔壁８の上面には弾力性シート５が隔壁８より直径が短い、隔壁８の中心部は弾力性シート５と筒体１７の天井の間に、ばね２をはめこみ、この隔壁８は円盤製金属板で隔壁８と活栓７と底板１２で、なりたっている底板１２の上部には油止めシート１１が軸１０を取り巻いて接続されこの筒体１７内には容積に対し８５％〜９５％のオイルを給入した事を特長とする家具類等転倒防止装置【００１３】  土台座金１３と軸１０の取り付けは土台座金１３にリブ２０を２個設け軸１０が前後に動くようにした、器具が作動したとき土台座金１３と軸１０が動くことにより軸１０の横からの負荷を防ぐことができる、筒体１７内の上部に油面２２は筒体１７内に５％〜１５％の空間を作ることにより隔壁８の稼働性も良く軸１０にかかる瞬間圧力もソフトになる家具類等転倒防止装置【００１４】  以下、本発明の実施の形態を図１〜図８に基ずいて説明する【００１５】  図においては、図１は家具類等転倒防止器具１を示しこの家具類等の転倒防止器具１は家具類等の前面底部に複数取り付ける事により地震で激しい揺れで家具類等の底部が浮けばばね２の押圧により油弁５が開き油が筒体１７の上部あがり軸１０が、さがり土台座金１３が床に着くと油弁５が閉まり油圧により家具類等の浮いた分を支え家具類等を後ろに傾け家具類等の転倒防止をする。【００１６】  地震の揺れがなくなり傾いた家具類等も静止すれば家具類等の重力により油戻り孔４から少しづつ油が筒体１７の下部にさがると筒体１７上部の油圧もさがり数１０秒で家具等類等の傾きも元に戻り再度地震で家具類等が揺れれば繰り返し作用を継続する事ができる【００１７】  図２は、軸１０と土台座金１３の断面図で軸１０と土台座金１３の取り付け部を軸１０が前後に動くようにした、これを縦方向とし図３は図２の横方向の図であり点線の様に動く事により軸１０が作動し軸１０に負荷が、かかったとき横からの負荷を防ぐので器具の取り付け時は家具類等の前面に対し図２の様に軸１０が前後に動く様に固定する。【００１８】  図３は、図２の横方向の図で、軸１０が点線の様に動く断面図【００１９】  図４は、家具類等の転倒防止器具の平面図【００２０】  図５は、家具類等の転倒防止器具１の断面図で、ばね２は常に軸１０を押圧し、床と土台座金１３に隙間ができると軸１０が下さがり同時に油弁５が開き油が油通り孔６を通り筒体１７の上部にあがり土台座金１３と軸１０に負荷が、かかれば油弁５が閉まり筒体１７の部に油圧が、かかり家具類等を後ろに傾ける事のできる家具類等転倒防止器具であり筒体１７の波形線は油上面２２を示し油は筒体の８５％〜９５％まで給入すると５％〜１５％の空間ができる、ことにより器具が作動するとき油の移動も速く軸１０も瞬時に動き作動するこができる。【００２１】  図６は、家具類等の転倒防止器具１分解図でばね２の下側が左右に動かない様に座金３に段差をつけ、ばね２の下側に座金３を圧入する軸１０の上に隔壁８活栓７と、油弁５を組み合わせ座金３で押さえ、ねじ９で締め付け固定し筒体１７の下側より挿入した後、油を筒体１７の８５％〜９５％まで給入し、油止めゴム１１を底板１２の上側に固定し底板１２を筒体１７にねじ込み密着し土台座金１３を軸１０の下端に取り付ける。【００２２】  図６の活栓７は弾力性及び耐油性の材料を使用し油通り孔６を複数あける油通り孔６の大きさは器具の内側直径の４０％とになるように隔壁８に複数の油通り孔６をあけ活栓７も同じ位置に同じ大きさの油通り孔６をあける油弁５は弾力性及び柔軟性の材料を使用し活栓７の油通り孔６と同じ位置に複数の小さな油戻り孔４をあける。【００２３】  図７は、器具の作動中の断面図で小さな矢印は油の移動を示す【００２４】  図８は、器具に負荷が、かかり作用した断面図【００２５】  材料  筒体      鉄製        ばね      鋼鉄        座金      鉄製        油弁      柔軟性及び耐油性ゴム        活栓      耐油性ゴム      （カップ）        隔壁      鉄製            （ピストン）        ねじ      ステンレス        軸        鋼鉄            （シャフト）        油止め    耐油性コム      （オイルシール）        底板      鉄製        土台座金  鉄製        ねじ      鉄製        ナット    鉄製【００２６】  寸法・  筒体  外径６６０ミリ  内径６００ミリ  高さ７５０ミリ  全長９００ミリ上記の器具の寸法は１個に対し１０００ｋｇの重力に耐えるが家具類等の大きさや重力により器具の寸法は異なる
【図面の簡単な説明】
【００２７】
【図１】本発明の実施形態を示す家具類等転倒防止器具の正面図
【図２】同転倒防止器具の軸と土台座金の取り付け部の部分断面図
【図３】同転倒防止器具の軸と土台座金の取り付け部の断面図
【図４】同転倒防止器具の平面図
【図５】同転倒防止器具の図４におけるＡ−Ａ線断面図
【図６】同転倒防止器具の分解部品図
【図７】同転倒防止器具の作動中の断面図
【図８】同転倒防止器具の負荷がかかりロックされた断面図
【符号の説明】
【００２８】１    家具類等の転倒防止器具２    ばね３    座金４    油戻り孔５    油弁６    油通り孔７    活栓８    隔壁９    ねじ１０  軸１１  油止め１２  底板１３  土台座金１４  ねじ１５  ナット１６  ねじ通り孔１７  筒体１８  取り付け孔１９  ねじ孔２０リブ２１  軸孔２２  油上面２３  土台座金取り付け孔